(57)【要約】【目的】種々のサイズのフランジを有する溝形鋼に対応可能であり、ぐらつきが生じ難い安定した補強が可能であり、両方向からの緊締具合の調整が可能な調整範囲が広く作業性が良好な吊り金具用補強金具を提供する。【構成】Ｈ型鋼等の溝形鋼の相対峙するフランジの一方に取り付けられる吊り金具の取付固定を補強する吊り金具用補強金具において、  相対峙するフランジの他方に引っ掛かる掛止板と、該掛止板に設けられている透孔に一端が挿通すると共に他端が前記吊り金具内を貫通して該吊り金具後端から突出するネジ棒と、該ネジ棒の一端に螺合して前記掛止板を背面から位置固定するナットと、前記吊り金具の後端に当接すると共に前記ネジ棒の他端が挿通される固定板と、前記ネジ棒の他端に螺合して前記固定板を位置固定するナットと、を有して構成されることを特徴とする吊り金具用補強金具である。【選択図】        図１
0003121581.tif 000002
【実用新案登録請求の範囲】
【請求項１】
Ｈ型鋼等の溝形鋼の相対峙するフランジの一方に取り付けられる吊り金具の取付固定を補強する吊り金具用補強金具において、
相対峙するフランジの他方に引っ掛かる掛止板と、該掛止板に設けられている透孔に一端が挿通すると共に他端が前記吊り金具内を貫通して該吊り金具後端から突出するネジ棒と、該ネジ棒の一端に螺合して前記掛止板を背面から位置固定するナットと、前記吊り金具の後端に当接すると共に前記ネジ棒の他端が挿通される固定板と、前記ネジ棒の他端に螺合して前記固定板を位置固定するナットと、を有して構成されることを特徴とする吊り金具用補強金具。
【請求項２】
前記掛止板に設けられている透孔が雌ネジ部を有する構成であることを特徴とする請求項１に記載の吊金具用補強金具。
【請求項３】
前記掛止板の透孔がバーリングタップ加工されて雌ネジ部が形成された構成であることを特徴とする請求項２に記載の吊金具用補強金具。
【請求項４】
前記固定板が断面コ字状を有し、該固定板の両端の立ち上がり部が前記吊り金具の後端の両側に引っ掛かる構成であることを特徴とする請求項１〜３のいずれかに記載の吊り金具用補強金具。
【考案の詳細な説明】
【技術分野】
【０００１】
本考案は吊り金具用補強金具に関し、詳しくはＨ型鋼等の溝形鋼のフランジに取り付けられる吊り金具の固定を補強する吊り金具用補強金具に関する。
【背景技術】
【０００２】
吊り金具は、天井等から梁状に延びているＨ型鋼等の溝形鋼から該溝形鋼に穴を開けることなく吊りボルトを下げる場合に用いられている。
【０００３】
溝形鋼への吊り金具の取付けは、該溝形鋼の水平のフランジに対して横方向から差し込まれた後に該フランジを上下から挟着握持することで固定することで行われている。
【０００４】
しかし、このような取付構成を有する吊り金具は、横方向に荷重が作用した場合に脱落し易いという特有の問題点を有している。
【０００５】
このため、特許文献１〜３等に記載されている補強金具によって固定を補強することが行われている。
【０００６】
【特許文献１】特許第３５８７８０１号
【特許文献２】特許第３５３８７７８号
【特許文献３】特許第２７４７６６７号
【特許文献４】特許第３７４３９０６号
【特許文献５】実用新案登録第１４９５５４７号
【考案の開示】
【考案が解決しようとする課題】
【０００７】
特許文献１及び２に記載の技術は、溝形鋼のフランジに引っ掛かる折り返し部を有する板状体からなる補助金具を取付けることで吊り金具の固定の補強を行っている。
【０００８】
しかしこれらの技術では、板状体の長さが調節不可能なため、種々のフランジ幅を有する溝形鋼に適用させるには種々の長さを有する板状体を用意しなければならないという欠点を有している。
【０００９】
特許文献３及び４に記載の技術は、溝形鋼のフランジに引っ掛かる折曲端を有する固定板と該固定板と吊り金具とを連結するＵ字状ボルトからなる補強金具を取付けることで吊り金具の固定の補強を行っている。
【００１０】
しかしこの技術では、緊締具合の調整がＵ字状ボルトの一端側のみであるため、緊締具合の調整が一方側のみでしか行えず、調整範囲の融通性と調整作業の作業性の両面で欠点を有している。
【００１１】
特許文献５に記載の技術は、溝形鋼のフランジに引っ掛かるフックボルトと該フックボルトの一端に螺合するナットからなる補助金具を取付けることで吊り金具の固定の補強を行っている。
【００１２】
しかしこの技術では、フランジに対してフックボルトが点接触であるため、荷重が掛かった際にぐらつきが生じ易いという欠点を有していると共に、緊締具合の調整がフックボルトの一端側のみであるため、緊締具合の調整作業が一方側のみでしか行えず、調整範囲の融通性と調整作業の作業性の両面で欠点を有している。
【００１３】
そこで本考案の課題は、種々のサイズのフランジを有する溝形鋼に対応可能であり、ぐらつきが生じ難い安定した補強が可能であり、両方向からの緊締具合の調整が可能な調整範囲が広く作業性が良好な吊り金具用補強金具を提供することにある。
【課題を解決するための手段】
【００１４】
上記課題を解決する本考案は下記構成を有する。
【００１５】
１．Ｈ型鋼等の溝形鋼の相対峙するフランジの一方に取り付けられる吊り金具の取付固定を補強する吊り金具用補強金具において、
相対峙するフランジの他方に引っ掛かる掛止板と、該掛止板に設けられている透孔に一端が挿通すると共に他端が前記吊り金具内を貫通して該吊り金具後端から突出するネジ棒と、該ネジ棒の一端に螺合して前記掛止板を背面から位置固定するナットと、前記吊り金具の後端に当接すると共に前記ネジ棒の他端が挿通される固定板と、前記ネジ棒の他端に螺合して前記固定板を位置固定するナットと、を有して構成されることを特徴とする吊り金具用補強金具。
【００１６】
２．前記掛止板に設けられている透孔が雌ネジ部を有する構成であることを特徴とする上記１に記載の吊金具用補強金具。
【００１７】
３．前記掛止板の透孔がバーリングタップ加工されて雌ネジ部が形成された構成であることを特徴とする上記２に記載の吊金具用補強金具。
【００１８】
４．前記固定板が断面コ字状を有し、該固定板の両端の立ち上がり部が前記吊り金具の後端の両側に引っ掛かる構成であることを特徴とする上記１〜３のいずれかに記載の吊り金具用補強金具。
【考案の効果】
【００１９】
請求項１に示す考案によれば、相対峙するフランジの他方に引っ掛かる掛止板と、該掛止板に設けられている透孔に一端が挿通すると共に他端が前記吊り金具内を貫通して該吊り金具後端から突出するネジ棒と、該ネジ棒の一端に螺合して前記掛止板を背面から位置固定するナットと、前記吊り金具の後端に当接すると共に前記ネジ棒の他端が挿通される固定板と、前記ネジ棒の他端に螺合して前記固定板を位置固定するナットと、を有して構成されることにより、ネジ棒両端に螺合するナットの螺合位置を調整することで種々のサイズのフランジを有する溝形鋼に対応可能であると共に、ネジ棒の両端に螺合するナットにより両方向からの緊締具合の調整が可能であるため、調整範囲が広く且つ作業性が良好であり、また、掛止板がフランジに線接触するためにぐらつきが生じ難い安定した補強が可能である。更に、ネジ棒はネジピッチとネジ径が合致するものであれば、溝形鋼のフランジのサイズに対応する長さの汎用のネジ棒を用いることができる。
【００２０】
請求項２に示す発明によれば、掛止板に設けられている透孔が雌ネジ部を有する構成により、該雌ネジ部とナットとを併用することで掛止版をより強固に固定することができる。
【００２１】
請求項３に示す発明によれば、掛止板の透孔がバーリングタップ加工されて雌ネジ部が形成された構成により、雌ネジ部を他部材で構成したものに比して部品点数を減じることができる。
【００２２】
請求項４に示す発明によれば、固定板が断面コ字状を有し、該固定板の両端の立ち上がり部が前記吊り金具の後端の両側に引っ掛かる構成により、吊り金具への固体板の固定がより強固となる。
【考案を実施するための最良の形態】
【００２３】
本考案に係る吊り金具用補強金具の詳細について、添付の図面に基づき説明する。
【００２４】
図１は本考案に係る吊り金具用補強金具の一実施例を示す５面図（正面、左右側面、平面・底面の各図）、図２は図１の要部拡大断面図、図３は図１の吊り金具用補強金具の使用例の一例を示す正面図である。
【００２５】
本考案に係る吊り金具用補強金具（以下、単に補強金具ということもある。）１は、図３に示すように、Ｈ型鋼等の溝形鋼２の相対峙するフランジ２１・２２の一方２２に取り付けられる吊り金具３の取付固定を補強するものである。
【００２６】
補強金具１の具体的構成としては、図１及び図３に示すように、相対峙するフランジ２１・２２の他方２１に引っ掛かる掛止板１１と、該掛止板１１に設けられている透孔１１Ａに一端が挿通すると共に他端が吊り金具３内を貫通して該吊り金具３後端から突出するネジ棒１２と、該ネジ棒１２の一端に螺合して前記掛止板１１を背面から位置固定するナット１３と、前記吊り金具３の後端に当接すると共に前記ネジ棒１１の他端が挿通される固定板１４と、前記ネジ棒１２の他端に螺合して前記固定板１４を位置固定するナット１５と、を有して構成される。
【００２７】
掛止板１１はフランジ２２から下方に脱落し難いように「く」字状の曲がりを形成して前記フランジ２２に引っ掛かり易いように構成することが好ましい。該掛止板１１の材質としては、吊り金具と同種のステンレスや鉄等の金属素材から形成されることが好ましい。
【００２８】
掛止板１１に設けられている透孔１１Ａは雌ネジ部を有していることが好ましく、より好ましくは図２に示すように該透孔１１Ａをバーリングタップ加工することで雌ネジ部を一体的に形成することである。尚、雌ネジ部を有する他の部材、例えば、ナット等を透孔１１Ａ部分に取り付けることで雌ネジ部を形成することもできる。
【００２９】
ネジ棒１２は、掛止板１１を固定するナット１３及び固定板１４を固定するナット１５が螺合する部分に雄ネジ部を有する棒状体であり、雄ネジ部は本実施例のように全ネジであってもよいし、ナット１３及びナット１５が螺合する部分だけ形成されていてもよい。該ネジ棒１２としては、ステンレス製等の汎用の全ネジボルトや両ネジボルトを用いることができる。
【００３０】
固定板１４は、吊り金具１２を貫通するネジ棒１２と該ネジ棒１２に螺合するナット１５により前記吊り金具３の後端に引っ掛かる構成を有していれば単なる平板であってもよいが、図１の平面図及び底面図に示すように断面コ字状を有し、コ字状の両端の立ち上がり部が前記吊り金具３の後端の両側に引っ掛かる構成とすることがより好ましい。該固定板１４の材質としては、吊り金具と同種のステンレスや鉄等の金属素材から形成されることが好ましい。
【００３１】
以上の構成を有する補強金具１を、Ｈ型鋼等の溝形鋼２の相対峙するフランジ２１・２２の一方２２に取り付けられた吊り金具３に対し取り付ける方法について以下説明する。
【００３２】
先ず、ネジ棒１２の一端に螺合するナット１３と掛止板１１とを外したネジ棒１２・固定板１４・ナット１５とから成る補強金具１を、前記ネジ棒１２の一端が吊り金具３を貫通するように該吊り金具３の後端から前記固定板１４が吊り金具３の後端に当接するまで挿通させる。
【００３３】
次に、ネジ棒１２の一端に掛止板１１をフランジ２１に当接して引っ掛かる位置まで挿通し、該ネジ棒１２の一端にナット１３を螺合して掛止板１１を固定する。
【００３４】
ナット１３とナット１５のいずれか一方又は両方を緊締することで、フランジ２２に取り付けられる吊り金具３の取付固定を補強することができる。
【００３５】
補強金具１の取付け方向は上記した釣り金具３の後端方向からに限らず、下記のように逆方向からも可能である。
【００３６】
先ず、ネジ棒１２の他端に螺合するナット１５と固定板１４とを外したネジ棒１２・掛止板１１・ナット１３とから成る補強金具１を、前記ネジ棒１２の他端を吊り金具３を貫通するように該吊り金具３の前端から前記掛止板１１がフランジ２１に引っ掛かる位置まで挿通させる。
【００３７】
次に、吊り金具３の後端から突出したネジ棒１２の他端に固定板１４を前記吊り金具３の後端に当接するまで挿通し、該ネジ棒１２の他端にナット１５を螺合して固定板１４を固定する。
【００３８】
ナット１３とナット１５のいずれか一方又は両方を緊締することで、フランジ２２に取り付けられる吊り金具３の取付固定を補強することができる。
【図面の簡単な説明】
【００３９】
【図１】本考案に係る吊り金具用補強金具の一実施例を示す５面図（正面、左右側面、平面・底面の各図）
【図２】図１の要部拡大断面図
【図３】図１の吊り金具用補強金具の使用例の一例を示す正面図
【符号の説明】
【００４０】
１  吊り金具用補強金具
１１  掛止板
１２  ネジ棒
１３  ナット
１４  固定板
１５  ナット
２  Ｈ型鋼等の溝形鋼
２１  フランジ
２２  フランジ
３  吊り金具
【図１】
0003121581.tif 000003
【図２】
0003121581.tif 000004
【図３】
0003121581.tif 000005